(57)【要約】【課題】ノズル先端の向き角度を簡単かつ正確に調整することができるトリガー式流体噴出器を提供する。【解決手段】本発明のポンプ１００は、内容物の吸引と加圧を行うシリンダ１１１および該シリンダ１１１につながり加圧された内容物を排出する通路１１２を備えるボディ１１０と、このボディ１１０で揺動自在に保持されその揺動を繰り返すことによってシリンダ１１１内のピストン１１４を往復運動させるトリガー１１３とを備えるトリガーポンプであって、そのボディ１１０に、スピンエレメント１２０を介してボディ１１０の通路１１２ｂにつながる通路１３１ａを有するノズルベース１３０を回転可能に設け、このノズルベース１３０に切り欠き１４１を形成した通路１４２を有する端部１４０ａを介して回転可能に保持されボディ１１０の通路１１２ｂ及びノズルベース１３０の通路１３０ａを経てその先端ノズル１６０より内容物を噴出するロングパイプ１４０を備えたことを特徴とするものである。【選択図】　　　　図３
2004025110.tif 000002
【特許請求の範囲】
【請求項１】
内容物の吸引と加圧を行うシリンダおよび該シリンダにつながり加圧された内容物を排出する通路を備えるボディと、このボディで揺動自在に保持されその揺動を繰り返すことによって前記シリンダ内のピストンを往復運動させるトリガーとを備えるトリガー式流体噴出器において、
前記ボディに、該ボディの通路につながる通路を有するノズルベースを回転可能に設け、このノズルベースにジョイントを介して回転可能に保持されボディの通路及びノズルベースの通路を経てその先端ノズルより内容物を噴出するロングパイプを備えたことを特徴とするトリガー式流体噴出器。
【請求項２】
前記ジョイントは、ロングパイプを折り畳んだ状態でノズルベースの通路とロングパイプの通路を遮断する遮断弁を有する請求項１記載のトリガー式流体噴出器。
【請求項３】
先端ノズルは、ロングパイプの先端に回転可能に保持され回転度合いに応じて噴出角度を変更するカップリングを有する請求項１または２記載のトリガー式流体噴出器。
【発明の詳細な説明】
【０００１】
【発明の属する技術分野】
本発明は、トリガー式流体噴出器に関するものであり、トリガー操作によってノズルを通して噴射対象に内容物を確実に噴出させようとするものである。
【０００２】
【従来の技術】
トリガー式の流体噴出器は、ボディに保持されたトリガーを揺動させることによりシリンダ内のピストンを往復運動させて内容物を吸引および加圧し、このシリンダ内にて加圧された内容物が通路を経てボディの外部に排出されるものであり、例えば、カビ取り剤や洗剤等の液体を充填する容器に用いられる。
【０００３】
このため、本願出願人は、その使い勝手を考慮し、容器を傾けなくともあらゆる方向に自由に内容物を噴射することができるトリガー式流体噴出器として、可撓性を有するノズルからなるロングノズルを具える噴出器を特開平１０−２９６１４５号公報にて提案済みである。
【０００４】
【発明が解決しようとする課題】
しかしながら、こうしたトリガー式流体噴出器にあっては、ノズル先端をあらゆる方向に向けることができる分、ノズル先端を正確な角度に調整して内容物を噴射対象に噴射しようとする場合、ノズル先端の向きを調整する作業が煩雑になり、使い勝手が良くないという不都合があった。特に上記公報にあっては、収納スペースを考慮してロングノズルをボディ側に折り曲げようとする場合、可撓性を有したロングノズルの曲げ位置が一定しないため、必ずしも一定のスペースにコンパクトに収納することができなかった。
【０００５】
本発明は、こうした事実に鑑みてなされたものであり、ノズル先端の向き角度を簡単かつ正確に調整することができると共に、ロングノズルを常にコンパクトに収納することができるトリガー式流体噴出器を提供することを目的とする。
【０００６】
【課題を解決するための手段】
本発明である、請求項１に記載のトリガー式流体噴出器は、内容物の吸引と加圧を行うシリンダおよび該シリンダにつながり加圧された内容物を排出する通路を備えるボディと、このボディで揺動自在に保持されその揺動を繰り返すことによって前記シリンダ内のピストンを往復運動させるトリガーとを備えるトリガー式流体噴出器において、そのボディに、該ボディの通路につながる通路を有するノズルベースを回転可能に設け、このノズルベースにジョイントを介して回転可能に保持されボディの通路及びノズルベースの通路を経てその先端ノズルより内容物を噴出するロングパイプを備えたことを特徴とするものである。
【０００７】
請求項２に記載の発明は、請求項１に記載のトリガー式流体噴出器において、そのジョイントは、ロングパイプを折り畳んだ状態でノズルベースの通路とロングパイプの通路を遮断する遮断弁を有するものである。
【０００８】
請求項３に記載の発明は、請求項１または２記載のトリガー式流体噴出器において、その先端ノズルは、ロングパイプの先端に回転可能に保持され回転度合いに応じて噴出角度を変更するカップリングを有する。
【０００９】
【発明の実施の形態】
図１は、本発明の第一実施形態であるトリガーポンプ１００を示す側面図であり、図２（ａ），（ｂ）はそれぞれ、後述するロングパイプ１４０を折り畳んだ状態でトリガーポンプ１００を上方から示す平面図およびそのＡ−Ａ断面図である。また図３，４はそれぞれ、トリガーポンプ１００において、ロングパイプ１４０を前方に回転させた状態および所定の角度に調整した状態を示す断面図である。
【００１０】
トリガーポンプ１００は、図３，４に示す如く、ボディ１１０に、内容物の吸引と加圧を行うシリンダ１１１と、このシリンダ１１１につながり加圧された内容物を排出する通路１１２ａ，１１２ｂを有する。またボディ１１０にはトリガー１１３がピン１１４を介して揺動自在に保持され、このトリガー１１３に設けた突起部１１３ｐがシリンダ１１１内に配したピストン１１４に当接する。
【００１１】
ピストン１１４は、リターンスプリング１１５を介してシリンダ１１１に支持されており、リターンスプリング１１５によってトリガー１１３を押圧する向きの付勢力を受ける。これにより、ピストン１１４は、使用者が行うトリガー１１３の引き操作に協働してシリンダ１１１内での押し込み動作が惹起される一方、トリガー１１４から指を離した際には、シリンダ１１１内のリターンスプリング１１５の付勢力によってシリンダ１１１内での押し戻し動作が惹起されるため、シリンダ１１１内を往復運動することができる。
【００１２】
またシリンダ１１１と連通する通路１１２ａには、内容物を吸い上げるディップチューブ１１６を取り付けたインテイク１１７が挿置されている。このインテイク１１７は、シリンダ１１１に設けた連通孔１１１ｈと整列する連通孔１１７ｈを有し、通路１１２ａおよびインテイク１１７間に画成された空間内には、ピストン１１４の押し戻し動作で開放され流路１１２ａ内に流体を吸入させる玉形弁からなる吸入弁１１８とピストン１１４の押し込み動作で開放され流路１１２ａ内の流体を流路１１２ｂに流通させる弾性弁からなる排出弁１１９とを備える。
【００１３】
なお、符号Ｃｐは、インテイク１１７のフランジ部分に係止され、パッキンＰを介して容器本体の口部に取り付けるためのスクリューキャップである。
【００１４】
さらにボディ１１０には、通路１１２ｂと連通するスピンエレメント１２０が取り付けられており、このボディ１１０に固定されたスピンエレメント１２０の通路１２１を介して通路１１２ｂとつながるノズルベース１３０が取り付けられている。
【００１５】
ここで図５（ａ）〜（ｃ）はそれぞれ、ノズルベース１３０を正面および上方から示す平面図と、（ａ）のＢ−Ｂ断面図である。また図６（ａ）〜（ｄ）はそれぞれ、後述するロングパイプ１４０を正面および上方から示す平面図と、（ａ）のＣ−Ｃ断面図であり、図（ｄ）にロングパイプ１４０をその端部１４０ａから示す。
【００１６】
ノズルベース１３０は、図５に示す如く、スピンエレメント１２０の通路１２１と連通する通路１３１ａおよび通路１３１ａと連通する導入部１３１ｂを有し、ノズルベース１３０の一端１３０ａが、図３，４に示す如く、アンダーカット嵌合或いは図示はしないがねじ嵌合によってスピンエレメント１２０の先端に対して回転自在に保持される。またノズルベース１３０は、その他端１３０ｂに、図２（ａ）に示す如く、ロングパイプ１４０、スピンエレメント１５０および先端ノズル１６０を具える。
【００１７】
ロングパイプ１４０は、図６に示す如く、その一端１４０ａに形成した切り欠き１４１を介してノズルベース１３０の通路１３１ａと連通する通路１４２、この通路１４２内の一部に間欠の連結片を介してロングパイプ１４０と一体に設けられた棒状部１４２ａおよびジョイントＸを有する。ジョイントＸは、ロングパイプ１４０の一端１４０ａと、ノズルベース１３０の他端１３０ｂと回転自在にアンダーカット嵌合或いは図示はしないがねじ嵌合するフランジ部１４３からなり、ロングパイプ１４０の一端１４０ａをノズルベース１３０の導入部１３１ｂに圧入してノズルベース１３０の他端１３０ｂとフランジ部１４３とをアンダーカット嵌合或いはねじ嵌合させることにより、図３，４に示す如く、ロングパイプ１４０をノズルベース１３０で回転自在に保持する。
【００１８】
切り欠き１４１は、図６（ｄ）に示す如く、ジョイントＸを構成するロングパイプ１４０の一端１４０ａをその他端１４０ｂと対向する向きに開き角度θ（本実施形態ではθ＝１２０°）で切り欠いたものであり、図２に示すロングパイプ１４０の折り畳み状態でノズルベース１３０の通路１３１ａとロングパイプ１４０の通路１４２を遮断する遮断弁を構成する。
【００１９】
このため、ロングパイプ１４０は、図３，４に示す如く、切り欠き１４１が通路１４２およびノズルベース１３０の通路１３１ａを連通させる向き角度θの範囲で内容物を流通できる一方、ロングパイプ１４０を図２に示す折り畳み状態にすると、同図（ｂ）に示す如く、端部１４０ａが通路１４２およびノズルベース１３０の通路１３１ａ間を遮断するため、トリガー１１３を操作しても内容物が流通してしまうことがない。
【００２０】
またロングパイプ１４０は、図３，４に示す如く、その他端１４０ｂに、通路１４１と連通するスピンエレメント１５０が取り付けられており、このロングパイプ１４０に固定されたスピンエレメント１５０の通路１５１を介してロングパイプ１４０の通路１４２とつながる先端ノズル１６０がアンダーカット嵌合によって回転自在に保持されている。
【００２１】
これにより、先端ノズル１６０は、図２（ａ）に示す如く、ノズルベース１３０がボディ１１０に対して軸線Ｏ１周りに回転することによって矢印ｄ１の向きに回転することができると共に、ロングパイプ１４０がノズルベース１３０に対して軸線Ｏ２周りに回転することによって矢印ｄ２の向きに回転することができる。
【００２２】
従ってトリガーポンプ１００によれば、先端ノズル１６０を正確な角度に調整して内容物を噴射対象に噴射しようとする場合、ロングパイプ１４０を曲げたり折り曲げたりすることなく、ノズルベース１２０およびロングパイプ１４０を回転させることによって、先端ノズル１６０の向き角度を簡単かつ正確に調整することができる。
【００２３】
またトリガーポンプ１００によれば、ポンプ１００を使用しない場合にロングパイプ１４０を図２（ａ）に示す折り畳み状態にすれば、ロングパイプ１４０が常にコンパクトに収納されるため、家庭や店頭などで従来と同じ高さスペースに収納することができる。同様に、ポンプ１００を使用しない場合にロングパイプ１４０を折り畳み状態からボディ１１０の上方に矢印ｄ１の向きに回転させても、ロングパイプ１４０が常にコンパクトに収納されるため、従来と同じ幅スペースに収納することができるという効果が得られる。
【００２４】
さらには、上記した従来公報にあっては、噴霧器基体（ボディ）に取り付けた開閉切替部材（ノズルベース）を操作してこの開閉切替部材を開いた状態においては、ロングノズルがどの方向を向いていても内容物の噴出が可能になっており、この状態を維持したまま同公報の図２において二点鎖線で示した位置にロングノズルを格納してしまった場合、誤って操作者の方向への噴出が為される可能性が存在していたが、本実施形態では、ジョイントＸに切り欠き１４１を設けて遮断弁として噴出可能性を制限することにより、ロングパイプ１４０の折り畳み状態での誤作動を防止することができるという効果が得られる。
【００２５】
特に本実施形態にあっては、ノズルベース１３０を取り付けるスピンエレメント１２０として既存のスピンエレメントを用いることにより、ボディ１１０を構成する部品を従来の部品と共通化して、コスト上昇の抑制を図っている。
【００２６】
図７は、本発明の第二実施形態であるトリガーポンプ２００を示す側面図であり、図８（ａ），（ｂ）はそれぞれ、後述するロングパイプ１７０を折り畳んだ状態でトリガーポンプ２００を上方から示す平面図およびそのＡ−Ａ断面図である。また図９，１０はそれぞれ、トリガーポンプ２００において、先端ノズル１６０およびロングパイプ１７０を前方に回転させた状態および所定の角度に調整した状態を示す断面図である。
【００２７】
本実施形態は、第一実施形態の変形例であり、以下、第一実施形態と同一部分は同一符号をもってその説明を省略する。
【００２８】
スピンエレメント１２０を介してボディ１１０に設けられたノズルベース１３０は、図８に示す如く、その他端１３０ｂに、ロングパイプ１７０、カップリング１８０および先端ノズル１６０を具える。
【００２９】
ロングパイプ１７０は、第一実施形態と同様、その一端１７０ａに形成した開き角度θからなる切り欠き１７１を介してノズルベース１３０の通路１３１ａと連通する通路１７２と、ジョイントＸ（図示せず）を有するが、通路１７２内に棒状部（１４２ａ）が設けられてないものである。ジョイントＸは、第一実施形態と同様、ロングパイプ１７０の一端１７０ａと、ノズルベース１３０の他端１３０ｂと回転自在にアンダーカット嵌合或いは図示はしないがねじ嵌合するフランジ部１７３（図８参照）からなり、ロングパイプ１７０の一端１７０ａをノズルベース１３０の導入部１３１ｂに圧入してノズルベース１３０の他端１３０ｂとフランジ部１７３とをアンダーカット嵌合或いは図示はしないがねじ嵌合させることにより、図９，１０に示す如く、ロングパイプ１７０をノズルベース１３０で回転自在に保持する。
【００３０】
このため、ロングパイプ１７０は、第一実施形態と同様、図９，１０に示す如く、切り欠き１７１が通路１７２およびノズルベース１３０の通路１３１ａを連通させる向き角度θの範囲で内容物を流通できる一方、ロングパイプ１７０を図８に示す折り畳み状態にすると、同図（ｂ）に示す如く、端部１７０ａが通路１７２およびノズルベース１３０の通路１３１ａ間を遮断するため、トリガー１１３を操作しても内容物が流通してしまうことがない。
【００３１】
またロングパイプ１７０は、図９，１０に示す如く、その他端（先端）１７０ｂに、カップリング１８０がアンダーカット嵌合或いは図示はしないがねじ嵌合によって回転自在に保持されている。
【００３２】
カップリング１８０は、ロングパイプ１７０に対して偏心しており、ロングパイプ１７０の通路１７２と連通する屈折通路１８１ａ，１８１ｂを有してスピンエレメント部１８０ｓが一体に形成されたものであって、このスピンエレメント部１８０ｓに、通路１８１ａ，１８１ｂを介して通路１７２とつながる先端ノズル１６０がアンダーカット嵌合或いは図示はしないがねじ嵌合によって回転自在に保持されている。
【００３３】
この場合、先端ノズル１６０は、ロングパイプ１７０の先端にカップリング１８０を介して回転可能に保持されることにより、図８（ａ）に示す如く、軸線Ｏ１周りを矢印ｄ１の向きに回転すると共に軸線Ｏ２周りを矢印ｄ２の向きに回転することに加えて、図９，１０に示す如く、カップリング１８０の軸線Ｏ３周りを矢印ｄ３の向きに回転するため、その回転度合いに応じて噴射角度を変更することができる。
【００３４】
従ってトリガーポンプ２００によれば、先端ノズル１６０を正確な角度に調整して内容物を噴射対象に噴射しようとする場合、ロングパイプ１７０を曲げたり折り曲げたりすることなく、ノズルベース１３０、ロングパイプ１７０およびカップリング１８０を回転させることによって、先端ノズル１６０の向き角度を簡単かつ一層正確に調整することができる。
【００３５】
またトリガーポンプ２００も、ポンプ２００を使用しない場合にロングパイプ１７０およびカップリング１８０を図８に示す折り畳み状態にすれば、ロングパイプ１７０が常にコンパクトに収納されるため、家庭や店頭などで従来と同じ高さスペースに収納することができる。同様に、ポンプ２００を使用しない場合にロングパイプ１７０を図８に示す折り畳み状態からボディ１１０の上方に回転させても、ロングパイプ１７０が常にコンパクトに収納されるため、従来と同じ幅スペースに収納することができるという効果が得られる。
【００３６】
また本実施形態も、ロングパイプ１７０のジョイントに切り欠き１７１を設けて遮断弁として噴出可能性を制限することにより、ロングパイプ１７０の折り畳み状態での誤作動を防止することができるという効果が得られる。同様に、ノズルベース１３０を取り付けるスピンエレメント１２０として既存のスピンエレメントを用いることにより、ボディ１１０を構成する部品を従来の部品と共通化して、コスト上昇の抑制を図っている。
【００３７】
上述したところは、本発明の好適な実施形態を示したに過ぎず、当業者によれば、請求の範囲において種々の変更を加えることができる。例えば、本実施形態では、ジョイントに形成した切り欠きの開き角度θを１２０°としたが、この開き角度θの値は、トリガーポンプの構造や用途に応じて適宜変更することができる。またトリガーポンプは、内容物を噴霧するためのスピンエレメントを用いないでカビ取り剤や洗剤などの液体や乳液などの内容物をそのまま排出するタイプであってもよい。
【００３８】
【発明の効果】
従って本発明であるトリガー式流体噴出器によれば、ノズル先端を正確な角度に調整して内容物を噴射対象に噴射しようとする場合、ロングパイプを曲げたり折り曲げたりすることなく、ノズルベースおよびロングパイプを回転させることによって、ノズル先端の向き角度を簡単かつ正確に調整することができる。
【００３９】
また本発明によれば、トリガー式流体噴出器を使用しない場合にロングパイプを折り畳み状態にすれば、ロングパイプが常にコンパクトに収納されるため、家庭や店頭などで従来と同じ高さスペースに収納することができる。同様に、トリガー式流体噴出器を使用しない場合にロングパイプを折り畳み状態からボディの上方に回転させても、ロングパイプが常にコンパクトに収納されるため、従来と同じ幅スペースに収納することができるという効果が得られる。さらには、本発明によれば、ロングパイプのジョイントに遮断弁を設けて噴出可能性を制限することにより、ロングパイプ折り畳み状態での誤作動を防止することができるという効果が得られる。
【図面の簡単な説明】
【図１】本発明の第一実施形態であるトリガーポンプを示す側面図である。
【図２】（ａ），（ｂ）はそれぞれ、同実施形態において、ロングパイプを折り畳んだ状態でトリガーポンプを上方から示す平面図およびそのＡ−Ａ断面図である。
【図３】同実施形態のトリガーポンプにおいて、ロングパイプを前方に回転させた状態を示す断面図である。
【図４】同実施形態のトリガーポンプにおいて、ロングパイプを所定の角度に調整した状態を示す断面図である。
【図５】（ａ）〜（ｃ）はそれぞれ、同実施形態のノズルベースを正面および上方から示す平面図と、（ａ）のＢ−Ｂ断面図である。
【図６】（ａ）〜（ｄ）はそれぞれ、同実施形態のロングパイプを正面および上方から示す平面図と、（ａ）のＣ−Ｃ断面図であり、図（ｄ）は、ロングパイプをその端部から示す平面図である。
【図７】本発明の第二実施形態であるトリガーポンプを示す側面図である。
【図８】（ａ），（ｂ）はそれぞれ、同実施形態において、ロングパイプを折り畳んだ状態でトリガーポンプを上方から示す平面図およびそのＡ−Ａ断面図である。
【図９】同実施形態のトリガーポンプにおいて、先端ノズルおよびロングパイプを前方に回転させた状態を示す断面図である
【図１０】同実施形態のトリガーポンプにおいて、先端ノズルおよびロングパイプを所定の角度に調整した状態を示す断面図である。
【符号の説明】
１００　トリガーポンプ
１１０　ボディ
１１１　シリンダ
１１２ａ，１１２ｂ　通路
１１３　トリガー
１１４　ピストン
１１５　リターンスプリング
１１６　ディップチューブ
１１７　インテイク
１１８　吸入弁
１１９　排出弁
１２０　スピンエレメント
１３０　ノズルベース
１３０ａ，１３０ｂ　ノズルベース端部
１３１ａ　通路
１３１ｂ　導入部
１４０　ロングパイプ
１４０ａ，１４０ｂ　ロングパイプ端部
１４１　切り欠き
１４２　通路
１４３　フランジ部
１５０　スピンエレメント
１６０　先端ノズル
１７０　ロングパイプ
１７０ａ，１７０ｂ　ロングパイプ端部
１７１　切り欠き
１７２　通路
１８０　カップリング
１８１　通路
２００　トリガーポンプ
Ｘ　ジョイント
【図１】
2004025110.tif 000003
【図２】
2004025110.tif 000004
【図３】
2004025110.tif 000005
【図４】
2004025110.tif 000006
【図５】
2004025110.tif 000007
【図６】
2004025110.tif 000008
【図７】
2004025110.tif 000009
【図８】
2004025110.tif 000010
【図９】
2004025110.tif 000011
【図１０】
2004025110.tif 000012